(57)【要約】【課題】撮影画像に悪影響を与えないようにファンを制御して効率的に装置内の温度を低減する撮影装置を提供すること、及びファン駆動を伴う撮影処理動作においてバッテリの蓄電力を効率よく消費することができる撮影装置を提供すること。【解決手段】撮影スタンバイ状態（Ｓ１）では、本体内部温度が１００℃以上及び高感度撮影モード時の少なくとも一方である場合にファンを駆動する。また、撮影動作時（Ｓ２）では、本体内部温度が１００℃以上である場合にファンの回転速度をシャッタースピードに基づいて調整し回転駆動すると共に、本体内部温度が１００℃以上で、かつ高感度撮影モード時では緊急停止する。また、撮影画像の確認再生時（Ｓ３）及び撮影画像の記録時（Ｓ４）では、本体内部温度が５０℃以上である場合にファンを駆動する。また、本体内部温度が５０℃未満でバッテリ残量が少ない場合には、ファンを常に停止する。【選択図】　　　　図３
2004128732.tif 000002
【特許請求の範囲】
【請求項１】
被写体を静止画像又は動画像により撮影する撮影装置であって、
本体内部の換気を行うためのファンと、
本体の内部温度を検出する温度検出手段と、
前記温度検出手段による検出温度値が所定温度値以上で、かつ被写体の撮影によって得られた画像または音声データを処理する場合に、前記ファンを駆動するように制御する制御手段と、
を有する撮影装置。
【請求項２】
前記制御手段は、前記被写体を撮影可能である場合及び撮影する際に、前記温度検出手段による検出温度値が前記所定温度値よりも高い他の所定温度値以上である場合には、前記ファンを駆動するように制御することを特徴とする請求項１記載の撮影装置。
【請求項３】
前記制御手段は、前記被写体を撮影する際に、当該撮影によって得られた画像または音声データに対する前記ファンの回転駆動に起因するノイズの影響が少なくなるように、ファンの回転を制御することを特徴とする請求項２記載の撮影装置。
【請求項４】
前記制御手段は、前記撮影によって得られた画像または音声データに対する前記ファンの回転駆動に起因するノイズの影響があるとして予め定められた動作モード時は、前記ファンを所定の回転速度未満で駆動することを特徴とする請求項２又は３に記載の撮影装置。
【請求項５】
本体内部の換気を行うためのファンと、
バッテリと、
前記バッテリの蓄電量を検出する検出手段と、
前記検出手段により検出されたバッテリの蓄電量が所定蓄電量未満である場合に、前記ファンを、前記バッテリの蓄電量が所定蓄電量以上である場合の回転駆動時における回転速度未満で駆動するように制御する制御手段と、
を有する撮影装置。
【請求項６】
本体の内部温度を検出する温度検出手段をさらに備え、
前記制御手段は、前記温度検出手段による検出温度値が所定温度値以上である場合には、前記バッテリの蓄電量が前記所定蓄電量値未満である場合にも、前記ファンを駆動するように制御することを特徴とする請求項５記載の撮影装置。
【請求項７】
前記撮影装置は、被写体を撮影し、
前記制御手段は、前記温度検出手段による検出温度値が所定温度値以上で、かつ被写体の撮影によって得られた画像または音声データを処理する場合に、前記ファンを駆動するように制御することを特徴とする請求項６記載の撮影装置。
【請求項８】
前記制御手段は、前記被写体を撮影可能である場合及び撮影する際に、前記温度検出手段による検出温度値が前記所定温度値よりも高い他の所定温度値以上である場合には、前記ファンを駆動するように制御することを特徴とする請求項７記載の撮影装置。
【請求項９】
前記制御手段は、前記被写体を撮影する際に、当該撮影によって得られた画像または音声データに対する前記ファンの回転駆動に起因するノイズの影響が少なくなるように、ファンの回転を制御することを特徴とする請求項８記載の撮影装置。
【請求項１０】
前記制御手段は、前記撮影によって得られた画像または音声データに対する前記ファンの回転駆動に起因するノイズの影響があるとして予め定められた動作モード時は、前記ファンを所定の回転速度未満で駆動することを特徴とする請求項８又は９に記載の撮影装置。
【発明の詳細な説明】
【０００１】
【発明の属する技術分野】
本発明は、本体内部の換気を行うためのファンを備えた撮影装置に関する。
【０００２】
【従来の技術】
近年、被写体を撮影する撮影装置としてのデジタルカメラで扱われる静止画像データ及び動画像データについては、高画像化及び高画質化が進んでおり、このため撮影画像データに対する画像処理の負荷も増大しているため、デジタルカメラが備えるＣＰＵや画像処理チップは処理の高速化がなされている。このため、カメラ内の発熱量が増大することとなり、熱による内部回路の故障や誤動作を防止するために効果的に廃熱を行うことが重要である。
【０００３】
このため、従来のデジタルカメラとしては、特許文献１に記載の技術のように、カメラ内部の換気をするためのファンを設け、カメラ内部の温度上昇を低減するものがよく知られている。
【０００４】
【特許文献１】
特開平８−１２５８９４号公報
【０００５】
【発明が解決しようとする課題】
しかしながら、上記のような従来のデジタルカメラに設けられるファンは、一般に、低周波ノイズを発生させやすく、そのノイズは、特に撮影画像の画像処理に影響しやすく撮影画像（静止画像及び動画像）の画質／音質が悪化することがある。また、ファン駆動のためにバッテリ電源の消費量が増大することがあり、撮影動作に用いる電力量を減少させてしまうことがある。
【０００６】
本発明は上記事実に鑑み成されたものであり、撮影画像に悪影響を与えないようにファンを制御して効率的に装置内の温度を低減する撮影装置を提供することを第１の目的とし、ファン駆動を伴う撮影処理動作においてバッテリの蓄電力を効率よく消費することができる撮影装置を提供することを第２の目的とする。
【０００７】
【課題を解決するための手段】
上記目的を達成するために、請求項１に記載の発明は、被写体を静止画像又は動画像により撮影する撮影装置であって、本体内部の換気を行うためのファンと、本体の内部温度を検出する温度検出手段と、前記温度検出手段による検出温度値が所定温度値以上で、かつ被写体の撮影によって得られた画像または音声データを処理する場合に、前記ファンを駆動するように制御する制御手段と、を有している。
【０００８】
請求項１に記載の発明によれば、ファンは本体内部の換気を行うためのものである。また、温度検出手段は、本体の内部温度を検出する。被写体を静止画像又は動画像により撮影する撮影装置では、通常、例えば、被写体を撮影し、当該撮影によって得られた画像または音声データを撮影データ再生手段で再生し、当該画像または音声データを撮影データ記録手段に記録する制御がなされる。このように、撮影によって得られた画像または音声データを処理することで、本体内の各処理回路は発熱し、本体内部の温度が上昇することになる。そこで、本体内部の温度が上昇することで、各処理回路の誤動作や故障が発生して画像または音声データの処理に悪影響を及ぼすことを防ぐため、制御手段は、温度検出手段による検出温度値が所定温度値以上で、かつ被写体の撮影によって得られた画像または音声データを処理する場合に、ファンを駆動するように制御する。ファンが駆動されることによって本体内部の廃熱がなされるので、撮影によって得られた画像及び音声データの処理に悪影響を与えないように効率的に本体内の温度を低減することができる。
【０００９】
請求項２に記載の発明は、請求項１に記載の発明において、前記制御手段は、前記被写体を撮影可能である場合及び撮影する際に、前記温度検出手段による検出温度値が前記所定温度値よりも高い他の所定温度値以上である場合には、前記ファンを駆動するように制御することを特徴としている。
【００１０】
請求項２に記載の発明によれば、制御手段は、被写体を撮影可能である場合及び撮影する際に、すなわち、撮影によって得られた画像または音声データを処理する以前に、温度検出手段による検出温度値が前記所定温度値よりも高い他の所定温度値以上である場合には、ファンを駆動するように制御することで、本体内部の温度が前記所定温度値よりもさらに高く上昇することでより発生しやすくなる各処理回路の誤動作や故障等を、ファンを駆動して本体内部の廃熱することによって、効果的に防ぐことができる。
【００１１】
請求項３に記載の発明は、請求項２に記載の発明において、前記制御手段は、前記被写体を撮影する際に、当該撮影によって得られた画像または音声データに対する前記ファンの回転駆動に起因するノイズの影響が少なくなるように、ファンの回転を制御することを特徴としている。
【００１２】
請求項３に記載の発明によれば、制御手段は、被写体を撮影する際に、当該撮影によって得られた画像または音声データに対するファンの回転駆動に起因するノイズの影響が少なくなるように、ファンの回転を制御することで、撮影によって得られた画像または音声データに対して悪影響を及ぼすファンの回転駆動に起因するノイズの発生を大幅に抑制し、適切な画像及び音声データを取得することができる。
【００１３】
請求項４に記載の発明は、請求項２又は３に記載の発明において、前記制御手段は、前記撮影によって得られた画像または音声データに対する前記ファンの回転駆動に起因するノイズの影響があるとして予め定められた動作モード時は、前記ファンを所定の回転速度未満で駆動することを特徴としている。
【００１４】
請求項４に記載の発明によれば、制御手段は、撮影によって得られた画像または音声データに対するファンの回転駆動に起因するノイズの影響があるとして予め定められた動作モード時は、ファンを所定の回転速度未満（例えば、回転速度ゼロ、すなわち停止することが好ましい。）で駆動することで、前記動作モード時には、撮影によって得られた画像または音声データに対して悪影響を及ぼすファンの回転駆動に起因するノイズの発生を防止し、適切な画像及び音声データを取得することができる。
【００１５】
請求項５に記載の発明は、本体内部の換気を行うためのファンと、バッテリと、前記バッテリの蓄電量を検出する検出手段と、前記検出手段により検出されたバッテリの蓄電量が所定蓄電量未満である場合に、前記ファンを、前記バッテリの蓄電量が所定蓄電量以上である場合の回転駆動時における回転速度未満で駆動するように制御する制御手段と、を有している。
【００１６】
請求項５に記載の発明によれば、検出手段は、バッテリの蓄電量を検出する。また、制御手段は、検出手段により検出されたバッテリの蓄電量が所定蓄電量未満である場合に、前記ファンを、バッテリの蓄電量が所定蓄電量以上である場合の回転駆動時における回転速度未満（例えば、回転速度ゼロ、すなわち停止することが好ましい。）で駆動するように制御する。これにより、ファン駆動を伴うカメラの処理動作においてバッテリの蓄電力を効率よく消費することができる。
【００１７】
請求項６に記載の発明は、請求項５に記載の発明において、本体の内部温度を検出する温度検出手段をさらに備え、前記制御手段は、前記温度検出手段による検出温度値が所定温度値以上である場合には、前記バッテリの蓄電量が前記所定蓄電量値未満である場合にも、前記ファンを駆動するように制御することを特徴としている。
【００１８】
請求項６に記載の発明によれば、制御手段は、温度検出手段による本体内部の検出温度値が所定温度値以上である場合には、バッテリの蓄電量が前記所定蓄電量値未満である場合にも、ファンを駆動するように制御することで、本体内部の温度上昇を低減させ、発熱により生じる本体内の各処理回路の誤動作や故障等による画像または音声データの処理に対する悪影響を防止することがきる。
【００１９】
請求項７に記載の発明は、請求項６に記載の発明において、前記撮影装置は、被写体を撮影し、前記制御手段は、前記温度検出手段による検出温度値が所定温度値以上で、かつ被写体の撮影によって得られた画像または音声データを処理する場合に、前記ファンを駆動するように制御することを特徴としている。
【００２０】
請求項７に記載の発明によれば、請求項１に記載の発明と同様に、撮影によって得られた画像または音声データを処理する場合に、発熱により生じる本体内の各処理回路の誤動作や故障等による画像または音声データの処理に対する悪影響を防ぐために、制御手段は、温度検出手段による検出温度値が所定温度値以上で、かつ被写体の撮影によって得られた画像または音声データを処理する場合に、ファンを駆動するように制御する。従って、ファンが駆動されることによって本体内部の廃熱がなされるので、撮影によって得られた画像または音声データの処理に悪影響を与えないように効率的に本体内の温度を低減することができる。
【００２１】
請求項８に記載の発明は、請求項７に記載の発明において、前記制御手段は、前記被写体を撮影可能である場合及び撮影する際に、前記温度検出手段による検出温度値が前記所定温度値よりも高い他の所定温度値以上である場合には、前記ファンを駆動するように制御することを特徴としている。
【００２２】
請求項８に記載の発明によれば、制御手段は、被写体を撮影可能である場合及び撮影する際に、すなわち、撮影によって得られた画像または音声データを処理する以前に、温度検出手段による検出温度値が前記所定温度値よりも高い他の所定温度値以上である場合には、ファンを駆動するように制御することで、本体内部の温度が前記所定温度値よりもさらに高く上昇することでより発生しやすくなる各処理回路の誤動作や故障等を、ファンを駆動して本体内部の廃熱することによって、効果的に防ぐことができる。
【００２３】
請求項９に記載の発明は、請求項８に記載の発明において、前記制御手段は、前記被写体を撮影する際に、当該撮影によって得られた画像または音声データに対する前記ファンの回転駆動に起因するノイズの影響が少なくなるように、ファンの回転を制御することを特徴としている。
【００２４】
請求項９に記載の発明によれば、制御手段は、被写体を撮影する際に、当該撮影によって得られた画像または音声データに対するファンの回転駆動に起因するノイズの影響が少なくなるように、ファンの回転を制御することで、撮影によって得られた画像または音声データに対して悪影響を及ぼすファンの回転駆動に起因するノイズの発生を大幅に抑制し、適切な画像及び音声データを取得することができる。
【００２５】
請求項１０に記載の発明は、請求項８又は９に記載の発明において、前記制御手段は、前記撮影によって得られた画像または音声データに対する前記ファンの回転駆動に起因するノイズの影響があるとして予め定められた動作モード時は、前記ファンを所定の回転速度未満で駆動することを特徴としている。
【００２６】
請求項１０に記載の発明によれば、制御手段は、撮影によって得られた画像または音声データに対するファンの回転駆動に起因するノイズの影響があるとして予め定められた動作モード時は、ファンを所定の回転速度未満（例えば、回転速度ゼロ、すなわち停止することが好ましい。）で駆動することで、前記動作モード時には、撮影によって得られた画像または音声データに対して悪影響を及ぼすファンの回転駆動に起因するノイズの発生を防止し、適切な画像及び音声データを取得することができる。
【００２７】
【発明の実施の形態】
以下、図面を参照して、本発明の実施の形態を詳細に説明する。
【００２８】
図１（Ａ）及び図１（Ｂ）に示すように、本実施の形態に係る撮影装置としてのデジタルカメラ１０は、本体１２が略箱型形状であり、正面から見て左側には、本体１２の把持を容易とするための把持部が形成されている。
【００２９】
本体１２の正面側には、図１（Ａ）に示すように、被写体像を結像させるためのレンズ１４、撮影範囲等を目視で確認するためのファインダ１６、低照度での撮影等の場合に補助光を発するためのフラッシュ１８が取付けられている。
【００３０】
本体１２の上面には、正面から見て左側に、このデジタルカメラ１０の動作モード（例えば、静止画像撮影モードや動画像撮影モード等の各種撮影モード、撮影画像再生モード、パソコン出力モード、及び各種セットアップ項目設定モード等）の１つを選択する際に用いるモードダイヤル２０、及び電源スイッチ２２が設けられ、モードダイヤル２０の中央部がシャッタボタン２４となっている。なお、シャッタボタン２４は、半押しでＡＦロック、全押しで撮像処理が実行されるように構成されている。
【００３１】
本体１２の正面から見て右側の側面には、撮影画像データを記憶するためのメディアカード２８（図２参照）を装填可能なスロット２６が設けられており、このスロット２６内部には、後述するメディア制御部６８（図２参照）が備えるコネクタ部（図示せず）が配設されている。スロット２６に装填されたメディアカード８２は、このコネクタ部を介して上記メディア制御部６８と物理的に接続されることで、上記メディア制御部６８とメディアカード８２との間で各種データの授受が可能とされている。
【００３２】
本体１２の前面に設けられた開口部には、デジタルカメラ１０の本体１２内部を冷却するためのファン３６が設けられている。なお、このファン３６に対する吸気穴（図示せず）は図示しない三脚用穴部に設けられている。
【００３３】
また、図１（Ｂ）に示すように、本体１２の背面の下方側には、反射型ＬＣＤ又は透過型ＬＣＤから成るカラー表示可能なディスプレイ２８が取付けられており、ディスプレイ２８の上方側には、ストロボボタン３０、十字ボタン３２、及びメニュー実行ボタン３４等の各種選択ボタンが設けられている。
【００３４】
ディスプレイ２８は、表示画面サイズが所定ピクセル数（例えば、６４０×４８０ピクセル）に設定された液晶表示パネルで構成されており、画像表示指示がある場合に、撮影時における撮影対象の画像や後述するＳＤＲＡＭ（Ｓｙｎｃｈｒｏｎｏｕｓ　Ｄｙｎａｍｉｃ　ＲＡＭ）８６（図２参照）及びメディアカード８２から読み込んだ画像ファイルに基づく画像を、画面全体に表示したり、複数の縮小画像を並べて表示したり、各種機能選択画面を表示する。
【００３５】
十字ボタン３２は、ディスプレイ２８の表示内容が各種項目選択画面のときにディスプレイ２８に表示されたボタンを選択したり、カーソルを動かすためのボタンである。また、ストロボボタン３０はフラッシュ１８を強制発光するときに強制発光指示を出したり、フラッシュ１８を発光禁止するときに発光禁止指示を出すボタンであり、メニュー実行ボタン３４は、ディスプレイ２８に表示されて十字ボタン３２で選択された項目の実行を決定するためのボタンである。
【００３６】
図２には、上述したデジタルカメラ１０の制御系の概略構成が示されている。このデジタルカメラ１０は、上記レンズ１４を含んで構成された光学ユニット４０と、上記レンズ１４の光軸後方に配設されたＣＣＤ４２と、当該ＣＣＤ４２から出力される画像信号（ＣＣＤ４２の受光面上にマトリクス状に配列された複数個の光電変換セルの各々における受光量を表わす信号）に基づき被写体像を示す所定のデジタル画像データを生成する画像信号処理部４４と、光学ユニット４０の各部、ＣＣＤ４２、及び画像信号処理部４４等を駆動するためのタイミング信号を生成するタイミングジェネレータ４６と、ＣＣＤ４２を駆動する垂直・水平ドライバ４８と、光学ユニット４０に含まれる、シャッタ及び絞り機構を駆動するシャッタ・アイリスモータ、焦点調整（フォーカス）モータ及びズームモータ等を駆動するユニット各部駆動系ドライバ５０と、フラッシュ１８の発光を制御するストロボ制御部５２と、バッテリ５３からデジタルカメラ１０の各部への電力供給を制御すると共に、バッテリ５３の蓄電量を検出する電源制御部５４と、デジタルカメラ１０の全体的な動作制御を司る主制御部６０と、を含んで構成されている。
【００３７】
上記タイミングジェネレータ４６には、垂直・水平ドライバ４８、画像信号処理部４４、及びユニット各部駆動系ドライバ５０が接続されており、このタイミングジェネレータ４６は、ＣＣＤ４２を駆動させるためのタイミング信号を垂直・水平ドライバ４８に、光学ユニット４０に備えられたメカシャッターや絞り機構を駆動させるためのタイミング信号をユニット各部駆動系ドライバ５０に、各々出力する。
【００３８】
また、光学ユニット４０に含まれるレンズ１４は複数枚のレンズを有し、焦点距離の変更（変倍）が可能なズームレンズとして構成されており、図示しないレンズ駆動機構を備えている。上記ズームモータ及び焦点調整モータは、このレンズ駆動機構に含まれるものであり、ズームモータ及び焦点調整モータは各々上記主制御部６０の制御下でユニット各部駆動系ドライバ５０から供給された駆動信号によって駆動される。また、主制御部６０は、光学ズーム倍率を変更する際にはズームモータを駆動制御して光学ユニット４０に含まれるレンズ１４の焦点距離を変化させると共に、ＣＣＤ４２による撮像で得られた画像のコントラストが最大となるように上記焦点調整モータを駆動制御することによって合焦制御を行なうようになっている。
【００３９】
画像信号処理部４４は、図示しない相関２重サンプリング（Ｃｏｒｒｅｌａｔｅｄ　Ｄｏｕｂｌｅ　Ｓａｍｐｌｉｎｇ）回路（ＣＤＳ）、ゲインコントロールアンプ（ＧＣＡ）、及びＡ／Ｄコンバータを含んで構成されており、ＣＣＤ６２から入力された上記画像信号は、上記ＣＤＳによって相関２重サンプリング処理が施され、ＧＣＡによってＲＧＢ各色毎の感度調整がなされた後、Ａ／Ｄコンバータで上記デジタル画像データに変換されるようになっている。
【００４０】
主制御部６０は、主制御部６０全体の動作制御を司るＣＰＵ（中央演算処理装置）６２と、所定容量のラインバッファを内蔵すると共に、ホワイトバランスの変動を調整するホワイトバランス調整回路（ＷＢ）及びＲＧＢデータをＹＣ信号（輝度信号Ｙ、クロマ信号Ｃｒ、Ｃｂ）に変換するＹ／Ｃ変換回路（Ｙ／Ｃ）を含んで構成された撮像制御部６４と、所定の圧縮形式（例えば、ＪＰＥＧ圧縮形式やＭＰＥＧ圧縮形式等）でデジタル画像データに対して圧縮処理を施すと共に、圧縮処理されたデジタル画像データに対して伸張処理を施す圧縮／伸張部６６と、上記メディアカード８２に対する各種情報の書込みや当該メディアカード８２に書込まれている各種情報の読出しを制御する上記メディア制御部６８と、上記ディスプレイ２８の表示駆動制御をするＬＣＤ制御部７０と、主としてＣＣＤ４２による撮像で得られたデジタル画像データを記憶する上記ＳＤＲＡＭ８６及び各種パラメータやプログラム等を記憶したフラッシュＲＯＭ８４の各メモリに対する各種データの読込／書込制御をするメモリ制御部７２と、ファン３６の駆動源であるファンモータ９０の駆動制御をするモータドライバ７４と、デジタルカメラ１０の本体１２内部に設けられ、本体１２内部の温度を検出する温度センサ８８とが、バス７６を介して相互に接続されて構成されている。
【００４１】
なお、上記モードダイヤル２０、電源スイッチ２２、シャッタボタン２４、ストロボボタン３０、十字ボタン３２、及びメニュー実行ボタン３４等を含む各種操作ボタン系８０は、ＣＰＵ６２に接続されており、それぞれの制御信号をＣＰＵ６２へ伝達可能に構成されている。また、上記ストロボ制御部５２及び電源制御部５４は、ＣＰＵ６２に接続されており、ＣＰＵ６２との間で各種制御信号を授受可能に構成されている。
【００４２】
撮像制御部６４では、上述の画像信号処理部４４から順次入力されるデジタル画像データを、内蔵するラインバッファに蓄積して一旦ＳＤＲＡＭ８６に格納するようになっている。ＳＤＲＡＭ８６に格納されたデジタル画像データは、ＣＰＵ６２の制御下でＷＢに読み出されてホワイトバランス調整がなされると共に、ガンマ処理及びシャープネス処理等がなされ、更に、Ｙ／ＣにてＹＣ信号変換処理が施されてＹＣ信号データに変換され、再びＳＤＲＡＭ８６に格納される。
【００４３】
また、上記シャッターボタン２４が撮影者によって押圧操作された場合には、ＳＤＲＡＭ８６に格納された上記ＹＣ信号データを、圧縮／伸張部６６によって所定の圧縮形式（例えば、静止画像の場合にはＪＰＥＧ圧縮形式など、動画像の場合にはＭＰＥＧ圧縮形式など）で圧縮した後にメディア制御部６８を介してメディアカード８２に記録する。
【００４４】
また、モータドライバ７４は、ＣＰＵ６２の制御により、ファンモータ９０の駆動／停止に加え、回転数、回転方向を所望に設定可能とされている。
【００４５】
なお、画像信号処理部４４、タイミングジェネレータ４６、及び主制御部６０は１チップＬＳＩ（Ｌａｒｇｅ　Ｓｃａｌｅ　Ｉｎｔｅｇｒａｔｅｄ　ｃｉｒｃｕｉｔ）として構成されており、これによってデジタルカメラ１０の小型化、高信頼性化、及び低コスト化が図られている。
【００４６】
次に、本実施の形態の作用について説明する。
【００４７】
本実施の形態に係るデジタルカメラ１０では、図３に示すように、まず、ユーザによって電源スイッチ２２がオン操作され、電源制御部５４からデジタルカメラ１０の各部に電源供給がなされると、撮影動作可能なスタンバイ状態（図３のＳ１）となる。このスタンバイ状態において、ユーザによりシャッタボタン２４が操作されて撮影動作がなされる（図３のＳ２）と、ＣＰＵ６２の制御下で、タイミングジェネレータ４６に制御信号を出力して、タイミングジェネレータ４６に接続されたユニット各部駆動系ドライバ５０によってシャッタ及びアイリスを制御すると共に、ストロボ制御部５２に制御信号を出力して、必要な場合にはフラッシュ１８の発光動作を行い、画像信号処理部４４によってＣＣＤ４２から画像データが読込まれる。読み込まれた画像データは、画像信号処理部４４にてデジタル画像データに変換され、撮像制御部６４にてＹＣ信号データに変換されてＳＤＲＡＭ８６に一旦格納される。
【００４８】
撮影画像の確認再生時（図３のＳ３）では、ＳＤＲＡＭ８６に格納されたＹＣ信号データが読み出され、ディスプレイ２８で表示される。
【００４９】
さらに、撮影画像の確認再生の後、読み出されたＹＣ信号データは、圧縮／伸張部６６によって所定の圧縮形式でメディアカード８２に記録される（図３のＳ４）。なお、記録後は再び上記スタンバイ状態（図３のＳ１）に戻る。
【００５０】
上記スタンバイ時（図３のＳ１）においては、ファン３６の駆動制御として、ＣＰＵ６２の制御下で、図４に示す処理ルーチンを所定の時間間隔で繰り返し実行される。
【００５１】
まず、ステップ１００では、デジタルカメラ１０の本体１２の内部温度を検出し、次のステップ１０２へ進み、検出温度値が１００℃未満か否かを判断する。
【００５２】
ステップ１０２で、検出温度値が１００℃未満と肯定判断された場合には、ステップ１０４で、ファン３６は、駆動している場合には停止され、一方、ステップ１０２で、検出温度値が１００℃以上と判断された場合には、ステップ１０６で、ファン３６は、停止している場合には、所定回転数で駆動される。
【００５３】
以上では、検出温度が１００℃以上又は未満の場合、ファン３６を駆動又は停止しているが、本発明はこれに限定されず、バッテリ５３の残量が予め定めた値以上又は未満の場合、ファン３６を駆動又は停止するようにしてもよい。すなわち、バッテリ残量が少ない場合には、残りの電力を撮影動作に優先的に用いるために、ファン３６を停止する。
【００５４】
また、上記撮影時（図３のＳ２）、すなわち、シャッターボタン２４が操作されると、ファン３６の駆動制御として、ＣＰＵ６２の制御下で、図５に示す処理ルーチンが実行される。
【００５５】
まず、ステップ２００では、デジタルカメラ１０の本体１２の内部温度を検出し、次のステップ２０２へ進み、検出温度値が１００℃以上か否かを判断する。
【００５６】
検出温度値が１００℃未満の場合には、ステップ２０２で否定判断され、後述するステップ２０８へ進む。
【００５７】
一方、検出温度値が１００℃以上の場合には、ステップ２０２で肯定判断され、ステップ２０４へ進み、デジタルカメラ１０の現在の動作設定状態を検出する。ここでは、ファン３６の駆動により発生するノイズ（電気信号）の影響を受けやすいと予め定められた動作設定状態、例えば、ＩＳＯ４００以上の高感度撮影モード、１／４秒より遅いシャッタースピードが１／４秒より遅い値に設定された状態等を検出する。
【００５８】
ここで、デジタルカメラ１０の撮影モードが高感度撮影モードに設定されている場合には、ステップ２０６で肯定判断され、ステップ２０８へ進み、ファン３６に逆回転ブレーキをかけて緊急停止して、ファン３６の駆動によるノイズの発生を防止する。なお、検出温度が１００℃未満と判断された場合には、緊急停止ではなく、通常の停止処理を行うようにしてもよい。
【００５９】
一方、デジタルカメラ１０の現在の動作設定状態がファン３６の駆動により発生するノイズの影響を受けやすい動作設定状態でない場合には、ステップ２０６で否定判断され、ステップ２１０へ進み、ファン３６を、停止している場合には駆動する。このとき、設定されるファン３６の回転数は、撮影画像が静止画像である場合には、設定されているシャッタースピードの整数倍に設定し、撮影画像が動画像である場合には、設定されているフレームレート／音声サンプリングレートの整数倍に設定し、ファンモータ９０の励磁切り替えタイミングが、ＣＣＤ４２におけるデータ読み出し／音声サンプリングのタイミングと重ならないようにすることで、ファン３６の回転により発生するノイズの撮影画像への影響を抑制することができる。
【００６０】
また、上記撮影画像の確認再生時（図３のＳ３）及び画像の記録時（図３のＳ４）におけては、ファン３６の駆動制御として、ＣＰＵ６２の制御下で、図６に示す処理ルーチンが実行される。
【００６１】
まず、ステップ３００では、デジタルカメラ１０の本体１２の内部温度を検出し、次のステップ３０２へ進み、検出温度値が５０℃未満か否かを判断する。
【００６２】
検出温度値が５０℃未満の場合には、ステップ３０２で肯定判断され、ステップ３０４へ進み、ファン３６は停止され、一方、検出温度値が５０℃以上の場合には、ステップ３０２で否定判断され、ステップ３０６へ進み、ファン３６は所定回転数で駆動される。
【００６３】
なお、デジタルカメラ１０の本体１２内部の検出温度値が１００℃以上になった場合には、ハンチング動作を防止するために、内部温度が所定温度（例えば、８０℃）以下に下がるまでファン３６を駆動する。
【００６４】
また、前述したように、電源制御部５４により検出されるバッテリ残量が少ない場合には、残りの電力を撮影動作に優先的に用いるために、ファン３６を停止するようにしているが、検出温度が１００℃を越えた場合、上記処理（図４のステップ１０２〜１０６、図５のステップ２０２〜２１０等）を優先する。
【００６５】
以上説明したように、本実施の形態に係るデジタルカメラによれば、内部温度及びデジタルカメラの動作設定状態に基づいて、撮影画像の画像処理に対するノイズを抑えるようにファンの駆動状態を制御することで、画像処理のノイズによる悪影響を防止しつつ内部の温度上昇を低減することができる。
【００６６】
また、バッテリ残量が少ない場合には、ファンを停止して、残りの電力を撮影動作に優先的に用いるので、ファン駆動の電力消費による撮影動作への悪影響を最小限に抑制することができる。
【００６７】
【発明の効果】
以上説明したように、本発明によれば、本体内部の温度値が所定温度値以上で、かつ被写体の撮影によって得られた画像または音声データを処理する場合に、ファンを駆動するように制御するようにしたので、撮影画像に悪影響を与えないようにファンを制御して効率的に装置内の温度を低減する撮影装置を提供することができる、という優れた効果を有する。
【００６８】
また、バッテリの蓄電量が所定蓄電量未満である場合に、前記ファンを、バッテリの蓄電量が所定蓄電量以上である場合の回転駆動時における回転速度未満で駆動するように制御するようにしたので、ファン駆動を伴う撮影処理動作においてバッテリの蓄電力を効率よく消費することができる撮影装置を提供することができる、という優れた効果を有する。
【図面の簡単な説明】
【図１】（Ａ）は、本発明の実施の形態に係るデジタルカメラの正面側の外観を示す斜視図であり、（Ｂ）は、デジタルカメラの裏面側の外観を示す斜視図である。
【図２】本発明の実施の形態に係るデジタルカメラの制御系の概略構成図である。
【図３】本発明の実施の形態に係るデジタルカメラの撮影シーケンスに沿って、デジタルカメラの各動作状態におけるファンの駆動状態を説明するための図である。
【図４】本発明の実施の形態に係るスタンバイ時ファン駆動制御処理の流れを示すフローチャートである。
【図５】本発明の実施の形態に係る撮影時ファン駆動制御処理の流れを示すフローチャートである。
【図６】本発明の実施の形態に係る再生時／記録時ファン駆動制御処理の流れを示すフローチャートである。
【符号の説明】
１０　　デジタルカメラ
２８　　ＬＣＤ
３６　　ファン
６２　　ＣＰＵ
６４　　撮像制御部
６８　　メディア制御部
７０　　ＬＣＤ制御部
７２　　メモリ制御部
７４　　モータドライバ
８０　　操作ボタン系
８２　　メディアカード
８４　　フラッシュＲＯＭ
８６　　ＳＤＲＡＭ
８８　　温度センサ
９０　　ファンモータ
【図１】
2004128732.tif 000003
【図２】
2004128732.tif 000004
【図３】
2004128732.tif 000005
【図４】
2004128732.tif 000006
【図５】
2004128732.tif 000007
【図６】
2004128732.tif 000008